(57)【要約】【課題】ＳＩＭカードに登録された複数の電話番号に対応したメールの着信および送受信が可能な移動通信端末を提供する。【解決手段】複数の電話番号が登録された少なくとも一枚のＳＩＭカード５３を装着可能な携帯電話機１であって、ＳＩＭカード５３に登録された複数の電話番号を識別する主制御部２１と、複数の電話番号のそれぞれについて、基地局に対して位置登録要求を行う位置登録部２３と、基地局における位置登録終了後に、所定の受信タイミングで、複数の電話番号のいずれかの電話番号に対するページングチャネルを受信するページング部２５と、ページングチャネルを受信したとき、識別した複数の電話番号のいずれかが含まれるかを判別し、含まれていた電話番号へのメール着信を検知する着信部２７と、メール着信が検知された電話番号の着信情報を記憶するメモリ部４１と、を備える。【選択図】      図１
2007110607.tif 000002
【特許請求の範囲】
【請求項１】
複数の電話番号が登録された少なくとも一枚のＳＩＭカードを装着可能な移動通信端末であって、
前記ＳＩＭカードに登録された前記複数の電話番号を識別する識別部と、
前記複数の電話番号のそれぞれについて、基地局に対して位置登録要求を行う位置登録要求部と、
前記基地局における位置登録終了後に、所定の受信タイミングで、前記複数の電話番号のいずれかの電話番号に対するページングチャネルを受信するページングチャネル受信部と、
前記ページングチャネル受信部が前記ページングチャネルを受信したとき、前記識別部が識別した前記複数の電話番号のいずれかが含まれるかを判別し、含まれていた電話番号へのメール着信を検知する着信検知部と、
前記着信検知部によって前記メール着信が検知された前記電話番号の着信情報を記憶する着信記憶部と、
を備えたことを特徴とする移動通信端末。
【請求項２】
複数の電話番号が登録された少なくとも一枚のＳＩＭカードを装着可能な移動通信端末であって、
前記ＳＩＭカードに登録された前記複数の電話番号を識別する識別部と、
前記複数の電話番号のそれぞれについて、基地局に対して位置登録要求を行う位置登録要求部と、
前記基地局における前記複数の電話番号の位置登録終了後に、前記基地局から前記複数の電話番号に対応するページングチャネルの割り当て情報を含むシステム情報を受信するシステム情報受信部と、
前記システム情報受信部が受信した前記システム情報の前記複数の電話番号に対するページングチャネルの前記割り当て情報に基づいて、前記基地局からの前記ページングチャネルの受信タイミングを設定する設定部と、
前記受信タイミングに従って、前記複数の電話番号のそれぞれに対するページングチャネルを受信するページングチャネル受信部と、
前記ページングチャネル受信部が前記ページングチャネルを受信したとき、前記識別部が識別した前記複数の電話番号のいずれかが含まれるかを判別し、含まれていた電話番号へのメール着信を検知する着信検知部と、
前記着信検知部によって前記メール着信が検知された前記電話番号の着信情報を記憶する着信記憶部と、
を備えたことを特徴とする移動通信端末。
【請求項３】
複数の電話番号が登録された少なくとも一枚のＳＩＭカードを装着可能な移動通信端末であって、
前記ＳＩＭカードに登録された前記複数の電話番号を識別する識別部と、
前記複数の電話番号のそれぞれについて、基地局に対して位置登録要求を行うとともに、前記複数の電話番号のうち一つを基準番号として通知する位置登録要求部と、
前記基地局における前記電話番号の位置登録終了後に、前記基地局から前記基準番号として通知した前記電話番号に対応するページングチャネルの割り当て情報を含むシステム情報を受信するシステム情報受信部と、
前記システム情報受信部が受信した前記システム情報の前記基準番号に対するページングチャネルの前記割り当て情報に基づいて、前記基地局からの前記ページングチャネルの受信タイミングを設定する設定部と、
前記受信タイミングに従って、前記基準番号に対する前記ページングチャネルを受信するページングチャネル受信部と、
前記ページングチャネル受信部が前記ページングチャネルを受信したとき、前記識別部が識別した前記複数の電話番号のいずれかが含まれるかを判別し、含まれていた電話番号へのメール着信を検知する着信検知部と、
前記着信検知部によって前記メール着信が検知された前記電話番号の着信情報を記憶する着信記憶部と、
を備えたことを特徴とする移動通信端末。
【請求項４】
請求項１乃至３いずれかに記載の移動通信端末において、
前記着信検知部によって前記複数の電話番号のうち、いずれかの電話番号にメール着信が検知された場合に、メール着信した前記電話番号の前記着信情報を通知する着信通知部を備えたことを特徴とする移動通信端末。
【請求項５】
請求項１乃至４いずれかに記載の移動通信端末において、
前記メール着信が検知された前記電話番号のメールを受信する指示を受け付けるメール受信指示受付部と、
前記メール受信指示受付部が受け付けた前記電話番号の前記メールを取得するメール取得部と、
前記メール取得部が取得した前記メールを前記電話番号に対応付けて格納するメール格納部と、
を備えたことを特徴とする移動通信端末。
【請求項６】
複数の電話番号が登録された少なくとも一枚のＳＩＭカードを装着可能な移動通信端末であって、
前記ＳＩＭカードに登録された前記複数の電話番号を識別する識別部と、
前記複数の電話番号のそれぞれについて、基地局に対して位置登録要求を行う位置登録要求部と、
宛先およびメール本文を含む送信メールの作成の指示を受け付ける送信メール受付部と、
前記複数の電話番号から選択された前記送信メールの送信元の電話番号を受け付ける送信元受付部と、
前記送信元受付部が受け付けた前記電話番号を用いて前記送信メールを送信する送信部と、
を備えたことを特徴とする移動通信端末。
【請求項７】
請求項６に記載の移動通信端末において、
前記送信部が前記送信メールを送信する前に、前記送信元受付部が受け付けた前記電話番号以外の電話番号で通信が行われているか否かを判断し、前記通信が行われていないとき、前記送信部における前記送信メールの送信を許可する送信制御部を含むことを特徴とする移動通信端末。
【発明の詳細な説明】
【技術分野】
【０００１】
本発明は、移動通信端末に関し、特に、ＳＩＭカードを装着可能かつ電子メール送受信機能を備えた移動通信端末に関する。
【背景技術】
【０００２】
近年、携帯電話は急速に普及し、仕事やプライベートなど場面を選ばす使用されるようになった。仕事やプライベートなど使用目的が異なる場合は、異なる電話番号であることが望ましく、また、通話料金などの請求先も個別に設定できることが望ましい。一ユーザが仕事用とプライベート用など目的別に複数台の携帯電話機を所持するのは、使い勝手が悪く、面倒であるため、携帯電話の契約情報を記録したＳＩＭカードを電話番号毎に用意し、一台の携帯電話機で複数のＳＩＭカードを入れ替えて使用することにより、複数の電話番号を目的別に使い分けることが可能となった。
【０００３】
従来のＳＩＭカードを装着可能な移動通信端末としては、たとえば特許文献１に記載されたものがある。同文献に記載された移動通信端末は、電話番号が異なる複数のＳＩＭカードを用いて、これらの電話番号に対する同時待ち受けを行い、通話を行うことができる。これにより、一台の端末で複数の端末を持ち歩いているのと同様な利便性が実現される。
【特許文献１】特開２００３−１８９３６１号公報
【発明の開示】
【発明が解決しようとする課題】
【０００４】
ところで、移動通信端末は高機能化が進み、通話以外の通信機能、たとえば、メール送受信機能が不可欠になってきている。したがって、一台の移動通信端末で複数の電話番号（メールアドレス）に対応したメールの送受信が行えることが望まれる。
【０００５】
本発明は上記事情に鑑みてなされたものであり、その目的とするところは、ＳＩＭカードに登録された複数の電話番号に対応したメールの着信および送受信が可能な移動通信端末を提供することにある。
【課題を解決するための手段】
【０００６】
本発明によれば、複数の電話番号が登録された少なくとも一枚のＳＩＭカードを装着可能な移動通信端末であって、
前記ＳＩＭカードに登録された前記複数の電話番号を識別する識別部と、
前記複数の電話番号のそれぞれについて、基地局に対して位置登録要求を行う位置登録要求部と、
前記基地局における位置登録終了後に、所定の受信タイミングで、前記複数の電話番号のいずれかの電話番号に対するページングチャネルを受信するページングチャネル受信部と、
前記ページングチャネル受信部が前記ページングチャネルを受信したとき、前記識別部が識別した前記複数の電話番号のいずれかが含まれるかを判別し、含まれていた電話番号へのメール着信を検知する着信検知部と、
前記着信検知部によって前記メール着信が検知された前記電話番号の着信情報を記憶する着信記憶部と、
を備えたことを特徴とする移動通信端末が提供される。
【０００７】
ここで、移動通信端末は、たとえば、携帯電話機、ＰＨＳ（Personal Handyphone System）、ＰＤＡ（Personal Data Assistance，Personal Digital Assistants：個人向け携帯型情報通信機器）等の携帯端末装置であって電子メールの送受信が可能な装置である。ＳＩＭ（Subscriber Identity Module）カードは、少なくとも一つの電話番号が登録される。詳細には、ＳＩＭカードには、電話番号、ＩＤコード、事業者ＩＤコード、ユーザが登録可能な電話帳やメモなどの端末情報が記録される。複数の電話番号に対応する各端末情報を一枚のＳＩＭカードに記録することもできる。
【０００８】
この発明によれば、少なくとも一枚のＳＩＭカードが装着可能であり、ＳＩＭカードに登録された複数の異なる電話番号に対応したメール着信を一台の端末で行うことができる利便性の良い移動通信端末が提供される。
【０００９】
本発明によれば、複数の電話番号が登録された少なくとも一枚のＳＩＭカードを装着可能な移動通信端末であって、
前記ＳＩＭカードに登録された前記複数の電話番号を識別する識別部と、
前記複数の電話番号のそれぞれについて、基地局に対して位置登録要求を行う位置登録要求部と、
前記基地局における前記複数の電話番号の位置登録終了後に、前記基地局から前記複数の電話番号に対応するページングチャネルの割り当て情報を含むシステム情報を受信するシステム情報受信部と、
前記システム情報受信部が受信した前記システム情報の前記複数の電話番号に対するページングチャネルの前記割り当て情報に基づいて、前記基地局からの前記ページングチャネルの受信タイミングを設定する設定部と、
前記受信タイミングに従って、前記複数の電話番号のそれぞれに対するページングチャネルを受信するページングチャネル受信部と、
前記ページングチャネル受信部が前記ページングチャネルを受信したとき、前記識別部が識別した前記複数の電話番号のいずれかが含まれるかを判別し、含まれていた電話番号へのメール着信を検知する着信検知部と、
前記着信検知部によって前記メール着信が検知された前記電話番号の着信情報を記憶する着信記憶部と、
を備えたことを特徴とする移動通信端末が提供される。
【００１０】
この発明によれば、少なくとも一枚のＳＩＭカードが装着可能であり、ＳＩＭカードに登録された複数の異なる電話番号に対応したメール着信を一台の端末で行うことができる利便性の良い移動通信端末が提供される。
【００１１】
本発明によれば、複数の電話番号が登録された少なくとも一枚のＳＩＭカードを装着可能な移動通信端末であって、
前記ＳＩＭカードに登録された前記複数の電話番号を識別する識別部と、
前記複数の電話番号のそれぞれについて、基地局に対して位置登録要求を行うとともに、前記複数の電話番号のうち一つを基準番号として通知する位置登録要求部と、
前記基地局における前記電話番号の位置登録終了後に、前記基地局から前記基準番号として通知した前記電話番号に対応するページングチャネルの割り当て情報を含むシステム情報を受信するシステム情報受信部と、
前記システム情報受信部が受信した前記システム情報の前記基準番号に対するページングチャネルの前記割り当て情報に基づいて、前記基地局からの前記ページングチャネルの受信タイミングを設定する設定部と、
前記受信タイミングに従って、前記基準番号に対する前記ページングチャネルを受信するページングチャネル受信部と、
前記ページングチャネル受信部が前記ページングチャネルを受信したとき、前記識別部が識別した前記複数の電話番号のいずれかが含まれるかを判別し、含まれていた電話番号へのメール着信を検知する着信検知部と、
前記着信検知部によって前記メール着信が検知された前記電話番号の着信情報を記憶する着信記憶部と、
を備えたことを特徴とする移動通信端末が提供される。
【００１２】
この発明によれば、少なくとも一枚のＳＩＭカードが装着可能であり、ＳＩＭカードに登録された複数の異なる電話番号に対応したメール着信を一台の端末で行うことができる利便性の良い移動通信端末が提供されるとともに、複数の電話番号に対応するページング処理を代表の電話番号で行うことができるので、電話番号毎にページング処理を行う場合に比べて、ページング処理にかかる時間を短縮でき、待ち受け時の消費電流を抑えることができる。
【００１３】
上記移動通信端末において、前記着信検知部によって前記複数の電話番号のうち、いずれかの電話番号にメール着信が検知された場合に、メール着信した前記電話番号の前記着信情報を通知する着信通知部を備えることができる。
【００１４】
上記移動通信端末において、前記メール着信が検知された前記電話番号のメールを受信する指示を受け付けるメール受信指示受付部と、前記メール受信指示受付部が受け付けた前記電話番号の前記メールを取得するメール取得部と、前記メール取得部が取得した前記メールを前記電話番号に対応付けて格納するメール格納部と、を備えることができる。
【００１５】
ここで、メール格納部は、予め複数の電話番号にそれぞれ対応した複数の記憶領域を設け、それぞれ対応した記憶領域に格納することもできる。あるいは、ＳＩＭカード内に格納することもできる。また、複数の電話番号の何れへのメールであるかを示す付加情報を付加してメールを格納することもできる。また、メール取得部は、たとえば、メールサーバと所定のプロトコルを使用してパケット通信を行い、メールを取得する。
【００１６】
本発明によれば、複数の電話番号が登録された少なくとも一枚のＳＩＭカードを装着可能な移動通信端末であって、
前記ＳＩＭカードに登録された前記複数の電話番号を識別する識別部と、
前記複数の電話番号のそれぞれについて、基地局に対して位置登録要求を行う位置登録要求部と、
宛先およびメール本文を含む送信メールの作成の指示を受け付ける送信メール受付部と、
前記複数の電話番号から選択された前記送信メールの送信元の電話番号を受け付ける送信元受付部と、
前記送信元受付部が受け付けた前記電話番号を用いて前記送信メールを送信する送信部と、
を備えたことを特徴とする移動通信端末が提供される。
【００１７】
この発明によれば、複数の電話番号が登録されたＳＩＭカードを用いて、メールの送信元の電話番号を選択することができるので、一台の端末で必要に応じて複数の電話番号を使い分けてメールを送信することが可能となり、利便性がよい。
【００１８】
上記移動通信端末において、前記送信部が前記送信メールを送信する前に、前記送信元受付部が受け付けた前記電話番号以外の電話番号で通信が行われているか否かを判断し、前記通信が行われていないとき、前記送信部における前記送信メールの送信を許可する送信制御部を含むことができる。
【００１９】
なお、以上の構成要素の任意の組合せ、本発明の表現を方法、装置、システム、記録媒体、コンピュータプログラムなどの間で変換したものもまた、本発明の態様として有効である。
【発明の効果】
【００２０】
本発明によれば、ＳＩＭカードに登録された複数の電話番号に対応したメールの着信および送受信が可能な移動通信端末が提供される。
【発明を実施するための最良の形態】
【００２１】
以下、本発明の実施の形態について、図面を用いて説明する。尚、すべての図面において、同様な構成要素には同様の符号を付し、適宜説明を省略する。
【００２２】
（第一の実施の形態）
図１は、本発明の実施の形態に係る移動通信端末の構成を示す機能ブロック図である。本実施形態の移動通信端末（携帯電話機１）は、複数の電話番号が登録された少なくとも一枚のＳＩＭカード（ＳＩＭカード５３）を装着可能な移動通信端末であって、ＳＩＭカードに登録された複数の電話番号を識別する識別部（主制御部２１、カードインタフェース部４３およびカードスロット５１）と、複数の電話番号のそれぞれについて、基地局（不図示）に対して位置登録要求を行う位置登録要求部（位置登録部２３）と、基地局における複数の電話番号の位置登録終了後に、基地局から複数の電話番号に対応するページングチャネルの割り当て情報を含むシステム情報を受信するシステム情報受信部（位置登録部２３）と、システム情報受信部が受信したシステム情報の複数の電話番号に対するページングチャネルの割り当て情報に基づいて、基地局からのページングチャネルの受信タイミングを設定する設定部（位置登録部２３）と、受信タイミングに従って、複数の電話番号のそれぞれに対するページングチャネルを受信するページングチャネル受信部（ページング部２５）と、ページングチャネル受信部がページングチャネルを受信したとき、識別部が識別した複数の電話番号のいずれかが含まれるかを判別し、含まれていた電話番号へのメール着信を検知する着信検知部（ページング部２５、着信部２７）と、着信検知部によってメール着信が検知された電話番号の着信情報を記憶する着信記憶部（着信部２７、メモリ部４１）と、を備える。
【００２３】
本実施形態において、移動端末装置は携帯電話機１を例として説明するが、その他に、ＰＨＳ（Personal Handyphone System）、ＰＤＡ（Personal Data Assistance，Personal Digital Assistants：個人向け携帯型情報通信機器）等の携帯端末装置であって電子メールの送受信が可能な装置である。移動端末装置は、たとえば、Ｗ−ＣＤＭＡ方式を採用した移動通信システムにおいて使用される端末である。なお、図１において、本発明の本質に関わらない部分の構成については省略してある。
【００２４】
また、移動端末装置の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２５】
詳細には、携帯電話機１は、電源部３と、無線部５と、ベースバンド部７と、入出力部９と、を備えている。無線部５は、アンテナ１１、受信回路（ＲＸ）１３および送信回路（ＴＸ）１５を含む。受信回路１３は、基地局（不図示）から送信された無線周波数信号はアンテナ１１を経由して受信し、信号レベルの増幅、任意の周波数への変換、およびデジタル復調を行い、ベースバンド部７に受信信号を入力する。送信回路１５は、ベースバンド部７から送信信号を入力し、アナログ変調を行い、周波数変換、増幅され無線周波数信号を、アンテナ１１を経由して基地局に送信する。
【００２６】
ベースバンド部７は、主制御部２１と、多重分離部３１と、ＬＣＤ制御部３３と、マルチメディア処理部３５と、音声データ復号部３７と、Ｄ／Ａ変換器３９と、メモリ部４１と、カードインタフェース部（図中、「カードＩ／Ｆ」と示す。）４３と、カードスロット５１ａ（図中、「カードスロット（Ａ）」と示す。）と、カードスロット５１ｂ（図中、「カードスロット（Ｂ）」と示す。なお、以下、二つのカードスロットの区別が特に必要ない場合は、単に「カードスロット５１」と呼ぶ。）と、を含む。
【００２７】
二つのカードスロット５１ａおよびカードスロット５１ｂには、二つの電話番号にそれぞれ対応する端末情報が登録された二枚のＳＩＭカード５３ａ（図中、「ＳＩＭカード（Ａ）」と示す。）およびＳＩＭカード５３ｂ（図中、「ＳＩＭカード（Ｂ）」と示す。なお、以下、二枚のＳＩＭカードの区別が特に必要ない場合は、単に「ＳＩＭカード５３」と呼ぶ。）がそれぞれ装着される。カードインタフェース部４３は、カードスロット５１ａおよびカードスロット５１ｂにそれぞれ装着されたＳＩＭカード５３ａおよびＳＩＭカード５３ｂと、主制御部２１とを電気的に接続するインタフェース部である。
【００２８】
図２に示すように、各ＳＩＭカード５３は、各電話番号に対応する端末情報８０を含む情報が記録されている。端末情報８０は、電話番号、ＩＤコード、事業者ＩＤコード、電話帳、メモ（所有者名などが記録可能）などが記録される。電話番号、ＩＤコード、および事業者ＩＤコードは、携帯電話の契約時に固定的に記録される情報であり、電話帳およびメモは、ユーザが後述するキー入力部などを使用して入力し、記録可能な情報である。二つのカードスロット５１ａおよびカードスロット５１ｂに装着される二枚のＳＩＭカード５３ａおよびＳＩＭカード５３ｂは、入れ替えることもできる。また、何れか一枚のＳＩＭカード５３のみを挿入し、一方のカードスロット５１は空きでもよい。
【００２９】
本実施形態において、事業者のサーバ（不図示）側では、別途、各電話番号に対応するメールアドレスを登録することができる。このメールアドレスとは、他の事業者の端末やパソコンなどにインターネット経由で電子メールを送受信する際に使用されるアドレスである。たとえば、登録されたメールアドレス宛にメールが届いたとき、対応する電話番号の端末にサーバからメールの着信通知が行われることとなる。また、端末から他の事業者の端末やパソコン宛に電子メールを送信する際、送信元として登録されているメールアドレスが使用される。
【００３０】
図１に戻り、入出力部９は、ＬＣＤ（Liquid Crystal Display：液晶ディスプレイ）６１と、カメラ６３と、マイク６５と、スピーカ６７と、キー入力部６９と、を含む。ＬＣＤ６１は、ベースバンド部７により表示制御され、各種情報表示、操作画面表示、携帯電話機１の動作や状態表示、画像表示、メール表示などを行う。なお、表示部として、図示されない、ＬＥＤ（Light Emitting Diode）表示器を含むこともできる。
【００３１】
カメラ６３で撮像された画像は、ベースバンド部７に入力される。マイク６５で集音された音声は、ベースバンド部７に入力される。スピーカ６７は、ベースバンド部７から入力された音声を出力する。キー入力部６９は、図示されない操作ボタン、操作キーを含み、ユーザが操作したキーを受け付け、ベースバンド部７に入力する。ユーザの操作により入力された電子メールなどの文字情報や指定された宛先は、キー入力部６９が受け付け、主制御部２１を経由してメモリ部４１に一旦保存される。
【００３２】
ベースバンド部７において、主制御部２１は、マイクロプロセッサを含み、後述するメモリ部４１に記憶されたプログラム（不図示）を実行し、携帯電話機１の各構成要素とともに、携帯電話機１全体を制御する。主制御部２１は、位置登録部２３と、ページング部２５と、着信部２７と、パケット通信制御部２９と、を含む。また、主制御部２１は、無線チャネルの接続制御部（不図示）や通信リンク確立後の通信制御部（不図示）の他、画像処理や音声処理などの各処理部の制御部（不図示）を含むこともできる。
【００３３】
位置登録部２３は、基地局と無線部５を介して通信を行い、同期を確立し、その後、ＳＩＭカード５３ａおよびＳＩＭカード５３ｂに登録された各電話番号を読み込み、これらの電話番号について基地局に対して位置登録を無線部５を介して行う。位置登録部２３は、たとえば、携帯電話機１の電源投入時、あるいは、位置登録エリアの変更時、すなわち、最寄り基地局からの電波強度変化によるエリア変更時などに位置登録動作を行う。携帯電話機１からの位置登録要求に応じて、基地局側で二つの電話番号について、それぞれ位置登録がなされ、ページングチャネルが割り当てられ、これらの情報を含むシステム情報が基地局から送信される。
【００３４】
位置登録部２３は、このシステム情報を無線部５を介して受信し、システム情報に基づき、各電話番号毎に、ページングチャネル信号を受信するタイミングを設定する。システム情報には、電話番号毎に、割り当てられた周波数や同期信号を基準とした周期などを受信タイミングとして含むことができる。
【００３５】
ページング部２５は、位置登録部２３による位置登録後に所定のタイミングで各電話番号に対するページング処理を行うものである。詳しくは、ページング部２５は、位置登録部２３によって設定された各電話番号に対応したタイミングに従って各電話番号に対する呼び出しの有無をチェックする機能を有する。ページング部２５は、各電話番号に対応した受信タイミングでページングチャネル信号を無線部５を介して受信する。ページングチャネル信号には、着信または着呼があった電話番号が複数含まれる。ページング部２５は、受信したページングチャネル信号に含まれる複数の電話番号の中に、携帯電話機１の二つの電話番号のいずれかが含まれているか否かを判別する。いずれかの電話番号が含まれていると判別された場合、着信部２７に通知する。
【００３６】
着信部２７は、音声通信における上記ページング処理にて各電話番号のいずれかの電話番号に対する呼び出しが確認された際に着信処理を行うとともに、メール受信時においても各電話番号（メールアドレス）に対するメールの着信通知を無線部５を介して受信し、いずれの電話番号（メールアドレス）に対応するメール着信かを確認する。
【００３７】
基地局から送信されるメールの着信通知は、図３に示される着信通知情報１００が含まれる。着信通知情報１００は、発信元のメールアドレス、メールサーバのＩＰアドレスなどの情報、宛先のメールアドレスまたは電話番号、メールの発信時刻およびメールサーバが受信した受信時刻などが含まれる。着信部２７は、基地局から着信通知情報１００を受信し、メモリ部４１に記憶する。この着信通知情報１００から着信部２７は、メールの着信があった電話番号を判別し、さらに後述するパケット通信制御部２９はメール取得時にアクセスすべきメールサーバを知ることができる。さらに、着信部２７は、着信が確認されたとき、着信したことを報知すると共に、どの電話番号（メールアドレス）に対しての着信であるかを通知する機能を有する。
【００３８】
パケット通信制御部２９は、メール送受信等のパケット通信を行う際のチャンネル接続をはじめ、データ送受信等の制御を行う。本実施形態において、パケット通信制御部２９は、所定のプロトコルを使用して、無線部５を介してメールサーバ（不図示）とメールの送受信を行う。受信されたメールは後述するメモリ部４１に電話番号と対応付けて格納される。
【００３９】
多重分離部３１は、無線部５から入力されたデータ信号に含まれる音声データ、画像データおよび制御データをそれぞれ分離する。分離された音声データは、音声データ復号部３７に入力され、画像データは、マルチメディア処理部３５に入力される。ＬＣＤ制御部３３は、主制御部２１からの指示に従って、マルチメディア処理部３５から入力された画像データをＬＣＤ６１に表示させる。さらに、多重分離部３１は、マルチメディア処理部３５および音声データ復号部３７で符号化された音声データおよび画像データと、図示されていないデータ通信部にて生成された制御データとを多重化し、主制御部２１に出力する。多重分離部３１で多重化された送信データは主制御部２１から無線部５の送信回路１５に入力され、無線通信にて送出される。
【００４０】
マルチメディア処理部３５は、多重分離部３１から画像データを入力し、画像復号処理し、画像信号としてＬＣＤ制御部３３に出力する。さらに、カメラ６３で撮像された画像を入力し、画像符号化処理し、多重分離部３１に出力する。あるいは、カメラ６３で撮像された画像は、画像信号としてＬＣＤ制御部３３に出力することもできる。
【００４１】
音声データ復号部３７は、多重分離部３１から音声データを入力し、所定の復号方式により復号し、デジタル音声信号としてＤ／Ａ変換器３９に出力する。また、音声データ復号部３７は、Ｄ／Ａ変換器３９でデジタル化された音声データを音声符号化し、多重分離部３１に出力する。Ｄ／Ａ変換器３９は、音声データ復号部３７からデジタル音声信号を入力し、アナログ変換し、スピーカ６７を介して音声出力する。さらに、Ｄ／Ａ変換器３９は、マイク６５で集音された音声信号を入力し、デジタル変換し、音声データ復号部３７に出力する。
【００４２】
メモリ部４１は、携帯電話機１を制御するプログラムを記憶する領域と、プログラム動作時に作業領域として使用される領域と、送受信メールを格納する領域と、各種情報を記憶する領域と、を含む。たとえば、メモリ部４１は、図４に示す電話番号情報９０を複数の電話番号のそれぞれについて記憶する。電話番号情報９０は、各ＳＩＭカード５３から読み取った端末情報８０と、さらに、ページングチャネルの受信タイミングや、メール着信時の動作設定情報を含む。ページングチャネルの受信タイミングは、上述の位置登録部２３が位置登録時に基地局から受信したシステム情報に含まれる割り当てられた周波数や同期信号を基準とした周期などを含むことができる。
【００４３】
また、メモリ部４１は、パケット通信制御部２９が受信したメールを電話番号と対応付けて格納する。たとえば、メモリ部４１に予め複数の電話番号にそれぞれ対応した複数の記憶領域を設け、それぞれ対応した記憶領域に格納することもできる。また、複数の電話番号の何れへのメールであるかを示す付加情報を付加してメモリ部４１にメールを格納することもできる。なお、パケット通信制御部２９が受信したメールは、ＳＩＭカード５３内に格納することもできる。
【００４４】
このように構成された携帯電話機１の動作について、以下に説明する。はじめに、本実施形態における携帯電話機１の待ち受け時の動作について、説明する。待ち受けとは、通話やネットワークへの接続、パケット通信時以外に行う処理であり、位置登録処理とページング処理を含む。
【００４５】
図５は、本実施形態の携帯電話機１の位置登録処理の手順の一例を示すフローチャートである。また、図７は、本実施形態の携帯電話機１におけるページングチャネル信号の受信タイミングを説明するためのタイミングチャートである。以下、図１、図５および図７を用いて説明する。
【００４６】
はじめに、携帯電話機１の電源が投入された場合、あるいは、携帯電話機１が別のエリアに移動し、最寄りの基地局が変わった場合に、本位置登録処理が開始する。携帯電話機１は移動通信システムを構成する基地局群の中から電波強度などに基づき最寄りの基地局を認識することができ、その基地局に対して電話番号毎に位置登録を行うことによって、網側に携帯電話機１がどこにいるのかを知らせる。
【００４７】
まず、主制御部２１の位置登録部２３が本携帯電話機１と無線通信可能な基地局を無線部５を介してサーチする（ステップＳ１１）。位置登録部２３は、該当する基地局があれば（ステップＳ１３のＹＥＳ）その基地局との間で無線部５を介して同期を確立する（ステップＳ１５）。
【００４８】
同期確立後、位置登録部２３はカードインタフェース部４３を通して各カードスロット５１に装着されたＳＩＭカード５３を認識し、各ＳＩＭカード５３に記録されている端末情報８０を読み出す。位置登録部２３は、カードスロット５１ａに装着されたＳＩＭカード５３ａの電話番号Ａと、カードスロット５１ｂに装着されたＳＩＭカード５３ｂの電話番号Ｂを読み込み、基地局に対して電話番号Ａおよび電話番号Ｂの位置登録を行う（ステップＳ１７）。すなわち電源投入時、あるいは位置登録エリアの変更などの位置登録動作が行われる毎に、電話番号Ａおよび電話番号Ｂで順番に位置登録処理しておくことで、どちらの電話番号に呼び出しがかかった場合、あるいはメール着信があった場合でも、移動通信システム側ではその電話番号で登録された、ＳＩＭカードを装着した携帯電話機１が、どこにいるのか把握できるようにする。
【００４９】
なお、ステップＳ１７において、基地局との同期確立後に、ＳＩＭカード５３から各電話番号の端末情報８０を読み込む構成としているが、これに限定されない。電源投入時や任意の時点で、ＳＩＭカード５３から各電話番号の端末情報８０を読み込み、メモリ部４１の電話番号情報９０に予め記憶しておき、その後は、電話番号情報９０から随時読み出すこともできる。
【００５０】
さらに、ステップＳ１７において、基地局では電話番号Ａに対するページングチャネルと電話番号Ｂに対するページングチャネルを割り当て、これらの情報を含むシステム情報を当該端末に対して送出する。なお、ページングチャネルの割り当ては位置登録の要求があった他の端末の電話番号を含めグループ単位で行われる。本実施形態では一台の端末で二つの電話番号を持つことになるので図７のように電話番号Ａを含むグループのページングチャネルと電話番号Ｂを含むグループのページングチャネルの２つが割り当てられることになる。そして、携帯電話機１において、主制御部２１の位置登録部２３が基地局から送信されたこのシステム情報を無線部５を介して受信する（ステップＳ１９）。
【００５１】
つづいて、ステップＳ１９で受信したシステム情報に基づき、ページング部２５は、電話番号Ａに対するページングチャネルと電話番号Ｂに対するページングチャネルのそれぞれのタイミングを設定する（ステップＳ２１）。設定されたタイミングは、図４の電話番号情報９０に電話番号毎に記憶される。この設定されたタイミングで、後述するページング処理が実行される（ステップＳ２３）。本実施形態において、各電話番号のタイミングは図７に示されるようになっているものとする。図７では、電話番号Ａおよび電話番号Ｂは異なるタイミングとなっているが、同じタイミングとなることもある。その場合は、携帯電話機１にてページングチャネル信号の受信後の処理の優先順位を決めておき、その優先順位に従って各電話番号の処理を行う。
【００５２】
このようにして二枚のＳＩＭカード５３ａおよびＳＩＭカード５３ｂにより電話番号Ａおよび電話番号Ｂの両方について網側に位置登録を行い、以下に示すように、待ち受け中に二つの電話番号についてそれぞれ設定されたタイミングでページング処理を行うことにより、両方の電話番号Ａおよび電話番号Ｂについて同時待ち受けが可能になる。
【００５３】
図６は、本実施形態の携帯電話機１のページング処理の手順の一例を示すフローチャートである。以下、図１、図４、図６および図７を用いて説明する。
【００５４】
まず、主制御部２１のページング部２５は所定の周期で電話番号Ａと電話番号Ｂに対応した受信タイミングでページングチャネルの受信を監視する（ステップＳ３１およびステップＳ３３）。受信タイミングは、図５のステップＳ１９で設定されたタイミングであり、図４の電話番号情報９０に電話番号毎に記憶されている受信タイミングに従う。電話番号Ａに対応したページングチャネルの受信タイミングになったとき（ステップＳ３１のＹＥＳ）、無線部５の受信回路１３をオンしてページングチャネル信号を受信する（ステップＳ３５）。このページングチャネル信号には、電話番号Ａを含むグループの複数の電話番号が含まれている。従って、ページング部２５は、このページングチャネル信号に電話番号Ａが含まれているかを判別し、電話番号Ａが含まれていれば（ステップＳ３７のＹＥＳ）、主制御部２１の着信部２７にメールの着信があった旨を通知する。
【００５５】
着信部２７は、無線部５を介してサーバから着信通知情報１００を受信する（ステップＳ４１）。着信部２７は、受信した着信通知情報１００に基づいて、メールの着信があった電話番号（メールアドレス）を認識する。一方、上記ページングチャネル信号に電話番号Ａが含まれていなければ（ステップＳ３７のＮＯ）、主制御部２１は受信回路１３をオフして（ステップＳ３９）、ステップＳ３１に戻り、次の受信タイミングまで待機する（ステップＳ３１のＮＯおよびステップＳ３３のＮＯ）。
【００５６】
また、電話番号Ｂに対応したページングチャネルの受信タイミングになったときには（ステップＳ３３のＹＥＳ）、主制御部２１は受信回路１３をオンして、そのときのページングチャネル信号を受信する（ステップＳ３５）。このときのページングチャネル信号は電話番号Ｂを含むグループの複数の電話番号が含まれている。従って、ページング部２５はこのページングチャネル信号に電話番号Ｂが含まれているかを判別し、電話番号Ｂが含まれていれば（ステップＳ３７のＹＥＳ）、主制御部２１の着信部２７にメールの着信があった旨を通知する。着信部２７は、無線部５を介してサーバから着信通知情報１００を受信する（ステップＳ４１）。着信部２７は、受信した着信通知情報１００に基づいて、メールの着信があった電話番号（メールアドレス）を認識する。
【００５７】
一方、上記ページングチャネル信号に電話番号Ｂが含まれていなければ（ステップＳ３７のＮＯ）、主制御部２１は受信回路１３をオフして（ステップＳ３９）、ステップＳ３１に戻り、次の受信タイミングまで待機する（ステップＳ３１のＮＯおよびステップＳ３３のＮＯ）。
【００５８】
このようにして、電話番号Ａと電話番号Ｂのそれぞれに対応したタイミングで基地局からの呼び出しの有無をチェックし、呼び出しのあった電話番号の着信処理を行うことができる。この場合、図７に示すように電話番号Ａおよび電話番号Ｂをチェックしていない間、携帯電話機１はスリープ状態となる。
【００５９】
ステップＳ４１で、電話番号Ａおよび電話番号Ｂのいずれかにおいてメールの着信通知が認識された場合、着信部２７は、スピーカ６７等の報知機能を使って、ユーザにメールの着信があったことを報知する（ステップＳ４３）。また、着信部２７は、図示されない振動部によって所定の振動パターンで着信を報知することもできる。さらに、着信部２７は着信した電話番号（メールアドレス）がＡ、またはＢである旨のメッセージをＬＣＤ６１に表示して、ユーザに通知することができる。あるいは、図示されないＬＥＤ表示器の所定の点灯色や点滅パターンによって、メールの着信およびいずれの電話番号（メールアドレス）への着信かを報知および通知することもできる。ステップＳ４３における着信通知処理は、図４の電話番号情報９０に記憶されているメール着信時の動作設定情報に従って行われる。このように電話番号毎に異なる着信時の動作設定が可能である。
【００６０】
その後、ユーザが着信通知を受けたメールについて、受信を指示したとき、キー入力部６９が指示を受け付け（ステップＳ４５）、主制御部２１は基地局へメール取得要求の信号を無線部５を介して送る。このメール取得要求信号には、上述の着信通知情報１００に含まれる情報が含まれる。主制御部２１のパケット通信制御部２９が基地局から送信されたメールを無線部５の受信回路１３を介して取得する（ステップＳ４７）。パケットデータは、アンテナ１１を介して受信回路１３が受信し、信号レベルの増幅、任意の周波数への変換、およびデジタル復調された後、ベースバンド部７に入力される。
【００６１】
取得したメールは電話番号と対応付けてメモリ部４１に格納される。受信したメールは電話番号（メールアドレス）毎にフォルダを分けてメモリ部４１に保存することもできるし、一つのフォルダに一括して保存することもできる。また、電話番号（メールアドレス）毎にＳＩＭカードの内部に保存することも可能である。メールの取得が完了すると、パケット通信制御部２９は取得が完了した旨の通知する信号を無線部５を介して基地局へ送る（ステップＳ４９）。メールサーバでは、完了の通知を受け付けたメールを削除する。
【００６２】
メモリ部４１に格納されたメールは、必要に応じて、ユーザの操作により、主制御部２１を経由しＬＣＤ制御部３３へ送られ、ＬＣＤ６１に文字情報として表示することができる。
【００６３】
以上説明したように、本実施形態の携帯電話機１によれば、二つの電話番号について、それぞれ設定されたタイミングでページング処理を行うことにより、二つの電話番号について同時に待ち受けが可能となる。なお、本実施形態では、一台の携帯電話機１で二つの電話番号（メールアドレス）を持つことになるが、両方のメールアドレスに対して同時にメールの着信があったとしても、メールサーバで一旦メールを蓄積した後、携帯電話機１からのメール取得要求により一括してメールを受け取ることができるため、同時受信時の競合や優先順位については特に考慮する必要はない。ただし、一方の電話番号でパケット通信中に、もう一方の電話番号に対して音声通話の着信があった場合は、予め着呼処理を行わないようにしておけば、網側からは、その電話番号の携帯電話機１は電源がオフされたように見える。またパケット通信と音声通話の同時着信であれば、携帯電話機１側での競合は発生しない為、どちらも同時に通信するように設定してもよい。
【００６４】
次に、本実施形態における携帯電話機１のメール送信時の動作について、説明する。メール送信処理ではユーザがキー入力等により宛先のメールアドレスを入力してメール送信の手続きを行う。この時、二枚のＳＩＭカード５３ａおよびＳＩＭカード５３ｂに登録された電話番号Ａおよび電話番号Ｂ、すなわち異なるメールアドレスのうちどちらで送信するかを選択可能とすることで、二つの異なる契約先、すなわち通信料金請求先を区別することができる。具体的には、例えば仕事用とプライベート用のメールで料金請求先を変更するなどに相当する。
【００６５】
なお、本実施形態の移動通信端末（携帯電話機１）は、上記構成に加え、宛先およびメール本文を含む送信メールの作成の指示を受け付ける送信メール受付部（キー入力部６９、主制御部２１）と、複数の電話番号から選択された送信メールの送信元の電話番号を受け付ける送信元受付部（キー入力部６９、主制御部２１）と、送信元受付部が受け付けた電話番号を用いて送信メールを送信する送信部（パケット通信制御部２９、無線部５）と、を備えることができる。
【００６６】
メール送信時の処理手順は以下のようになる。
（１）ＳＩＭカードの選択
（２）メール内容の入力（宛先、タイトル、本文）
（３）送信ボタン押下
（４）選択されたＳＩＭカードを使用して送信処理
【００６７】
手順（１）については、主制御部２１がＬＣＤ制御部３３に指示して、ユーザに二枚のＳＩＭカード５３のうちいずれかを選択させるＳＩＭカード選択画面をＬＣＤ６１に表示させる。ユーザは、いずれかのＳＩＭカード５３をキー操作により選択し、キー入力部６９が受け付ける。この場合は「ＳＩＭカード５３ａ＝電話番号Ａ＝アドレスＡ」、「ＳＩＭカード５３ｂ＝電話番号Ｂ＝アドレスＢ」のように、ＳＩＭカードの種類とそこに登録された電話番号、あるいはアドレスが関連付けされて表示される。ユーザは表示された電話番号（メールアドレス）からどちらかを任意に選択して、メールの作成から発信操作までを行う。また、いずれか一方のＳＩＭカード５３を優先的に選択するように予め設定をしておくこともできる。
【００６８】
手順（２）については、送信宛先のメールアドレスを直接入力しても良いし、予め登録されている電話帳（アドレス帳）から選択して指定することも可能である。また、ＳＩＭカード５３毎に異なる電話帳（アドレス帳）を予め記録しておき、前記手順（１）にて選択されたＳＩＭカード５３から電話帳を取得することもできる。それぞれの電話帳は共有化したり、その内容をコピーできる機能を有することもできる。
【００６９】
手順（３）、手順（４）については、選択されたＳＩＭカード５３の電話番号（メールアドレス）にて通常と同様の送信処理を行う。通信料金については上記選択されたＳＩＭカード５３の電話番号に対して課金されることとなる。
【００７０】
ここで、上記メール送信時の処理について、さらに詳しく説明する。図８は、本実施形態の携帯電話機１におけるメール送信処理の手順の一例を示すフローチャートである。なお、上記待ち受け時と同様に、携帯電話機１のカードスロット５１ａおよびカードスロット５１ｂには、ＳＩＭカード５３ａおよびＳＩＭカード５３ｂがそれぞれ装着され、それぞれの電話番号(メールアドレス）が「Ａ」および「Ｂ」である場合を想定して説明する。
【００７１】
はじめに、メール作成時、主制御部２１は現在装着されている二枚のＳＩＭカード５３ａおよびＳＩＭカード５３ｂを認識して、ＬＣＤ制御部３３がＬＣＤ６１にＳＩＭカード選択画面を表示させる（ステップＳ６１）。このＳＩＭカード選択画面には、現在装着されているＳＩＭカードに登録されている電話番号（メールアドレス）とそれに関する情報が表示され、ユーザはその中から任意のＳＩＭカードをキー操作により選択し、キー入力部６９が選択を受け付ける（ステップＳ６３のＹＥＳ）。
【００７２】
そして、ユーザが宛先のメールアドレスを入力する（ステップＳ６５）。宛先メールアドレスの入力はキー操作による文字入力で直接入力してもよいし、ＳＩＭカード５３に電話帳（アドレス帳）が登録されていれば、ステップＳ６３で選択されたＳＩＭカード５３に記録されている電話帳の中からメールアドレスを選択してもよい。ユーザがキー操作などにより入力または選択した宛先のメールアドレスをキー入力部６９が受け付け、主制御部２１に受け渡し、メモリ部４１に一旦保存される。
【００７３】
つづいて、メールの件名と本文の入力をユーザがキー操作などにより行い、キー入力部６９が受け付け、主制御部２１を介してメモリ部４１に一旦格納される（ステップＳ６７）。つづいて、ユーザがメールを送信する指示を操作ボタンの押下などにより行うと、キー入力部６９が指示を受け付け（ステップＳ６９のＹＥＳ）、主制御部２１はステップＳ６３で選択されたＳＩＭカード５３の電話番号を読み出し（ステップＳ７１）、この電話番号がＡまたはＢのいずれであるか判別する（ステップＳ７３）。
【００７４】
電話番号Ａのとき（ステップＳ７３のＡ）、主制御部２１は、まず、無線部５において、電話番号Ｂでの通信を行っていないか確認する（ステップＳ７５）。電話番号Ｂでの通信を行っていない場合（ステップＳ７５のＹＥＳ）、主制御部２１は、無線部５を介して本端末が電話番号Ａを有する端末である旨を基地局に送るとともに、宛先のメールアドレスを送ってメール送信処理を行う（ステップＳ７７）。一方、電話番号Ｂでの通信中の場合（ステップＳ７５のＮＯ）、送信処理を中止して（ステップＳ８５）、メール送信前の状態（ステップＳ６９）に戻る。
【００７５】
また、電話番号Ｂのとき（ステップＳ７３のＢ）、主制御部２１は、まず、無線部５において、電話番号Ａでの通信を行っていないか確認する（ステップＳ８１）。電話番号Ａでの通信を行っていない場合（ステップＳ８１のＹＥＳ）、主制御部２１は、無線部５を介して本端末が電話番号Ｂを有する端末である旨を基地局に送るとともに、宛先のメールアドレスを送ってメール送信処理を行う（ステップＳ８３）。一方、電話番号Ａでの通信中の場合（ステップＳ８１のＮＯ）、送信処理を中止して（ステップＳ８５）、メール送信前の状態（ステップＳ６９）に戻る。
【００７６】
このようにして、ステップＳ６３でユーザが選択したＳＩＭカード５３に応じ、そのＳＩＭカード５３に登録された電話番号（メールアドレス）で相手にメールを送信することができる。このときの通信費の請求は、メール送信時に使用されたＳＩＭカード５３の電話番号に対してなされることとなる。
【００７７】
また、作成したメールを送信しない場合（ステップＳ６９のＮＯ）、メールを保存するか否かをユーザに確認する画面をＬＣＤ制御部３３がＬＣＤ６１に表示する（ステップＳ８７）。メールを保存する指示をキー入力部６９が受け付けた場合（ステップＳ８７のＹＥＳ）、作成したメールをメモリ部４１に保存する。ここで、選択されているＳＩＭカード５３の電話番号に対応付けて記憶してもよいし、対応付けずに単に記憶することもできる。後者の場合、保存されたメールを送信する際、送信に使用する電話番号を新たに選択する。なお、メールを破棄する指示をキー入力部６９が受け付けた場合（ステップＳ８７のＮＯ）、作成したメールを破棄してＳＩＭカード選択画面の表示状態（ステップＳ６１）に戻る。
【００７８】
以上説明したように、本実施形態の携帯電話機１によれば、メールの内容や相手先に応じて、電話番号毎に別々に契約した料金請求先を選択可能であり、ＳＩＭカードシステムには手を加えることなく、それぞれに登録された電話番号（メールアドレス）について同時に待ち受けすることができ、複数の端末を持ち歩いているのと同じ利便性を実現することができる。さらに網側の処理に手を加えることなく、端末側の工夫だけで実現できる為、インフラとしては既存の網を用いながら、新しいサービスを提供することができる。
【００７９】
（第二の実施の形態）
本実施形態の携帯電話機１は、上記実施の形態とは、複数の電話番号のうち少なくとも一つの電話番号についての位置登録を行い、ページングチャネル信号の受信タイミングの設定を少なくとも一つの電話番号について行い、ページング処理を行う点で相違する。なお、本実施形態の携帯電話機１の構成は図１と同様であるので、同じ図面を用いて説明する。
【００８０】
本実施形態の移動通信端末（携帯電話機１）は、複数の電話番号が登録された少なくとも一枚のＳＩＭカード（ＳＩＭカード５３）を装着可能な移動通信端末であって、ＳＩＭカードに登録された複数の電話番号を識別する識別部（主制御部２１、カードインタフェース部４３およびカードスロット５１）と、複数の電話番号のそれぞれについて、基地局（不図示）に対して位置登録要求を行うとともに、複数の電話番号のうち一つを基準番号として通知する位置登録要求部（位置登録部２３）と、基地局における電話番号の位置登録終了後に、基地局から基準番号として通知した電話番号に対応するページングチャネルの割り当て情報を含むシステム情報を受信するシステム情報受信部（位置登録部２３）と、システム情報受信部が受信したシステム情報の基準番号に対するページングチャネルの割り当て情報に基づいて、基地局からのページングチャネルの受信タイミングを設定する設定部（位置登録部２３）と、受信タイミングに従って、基準番号に対するページングチャネルを受信するページングチャネル受信部（ページング部２５）と、ページングチャネル受信部がページングチャネルを受信したとき、識別部が識別した複数の電話番号のいずれかが含まれるかを判別し、含まれていた電話番号へのメール着信を検知する着信検知部（ページング部２５、着信部２７）と、着信検知部によってメール着信が検知された電話番号の着信情報を記憶する着信記憶部（着信部２７、メモリ部４１）と、を備える。
【００８１】
具体的には、本実施形態において、位置登録部２３は、基地局にそれぞれの電話番号を伝えるだけでなく、それらが一緒に待ち受け中であることを通知するとともに、複数の電話番号のうち一つを基準番号として通知する。たとえば、位置登録部２３は、カードスロット５１ａに装着されたＳＩＭカード５３ａの電話番号Ａをその端末の基準番号とし、他のカードスロット５１ｂに装着されたＳＩＭカード５３ｂの電話番号Ｂ（３スロット以上の場合はそれ以降も含む）について電話番号Ａの付帯情報として基地局に通知する。また、電話番号情報９０において、基準番号として登録された電話番号にのみ受信タイミングを記憶したり、代表の電話番号であることを示すフラグを記憶することもできる。
【００８２】
これにより同一システム上の複数の端末が一つの端末で同時に待ち受けされていることを網側で把握できる。これを利用し電話番号Ａおよび電話番号Ｂに対応したページングチャネルのタイミングを端末に対して統一するように規定する。すなわち、二つの電話番号Ａおよび電話番号Ｂに対して共通のページングチャネルを割り当てるようにする。端末側では、たとえば、図１０に示すように、電話番号Ａを基準として、他の電話番号Ｂのページングタイミングを電話番号Ａに合わせて処理することで対応する。
【００８３】
図９は、本実施形態の携帯電話機１のページング処理時の手順の一例を示すフローチャートである。以下、本実施形態の携帯電話機１のページング処理について、図１、図９および図１０を用いて説明する。
【００８４】
まず、主制御部２１のページング部２５は所定の周期で電話番号Ａに対応した受信タイミングでページングチャネルの受信を監視する（ステップＳ１１１）。ページングチャネルの受信タイミングになったとき（ステップＳ１１１のＹＥＳ）、無線部５の受信回路１３をオンしてページングチャネル信号を受信する（ステップＳ１１３）。本実施形態において、基地局では本端末が二つの電話番号Ａおよび電話番号Ｂで待ち受けしていることを把握しており、ページングチャネル信号は、その中にメールを着信した電話番号が挿入されて携帯電話機１に送信される。従って、ページング部２５は、このページングチャネル信号に電話番号Ａが含まれているかを判別し、電話番号Ａが含まれていれば（ステップＳ１１５のＹＥＳ）、主制御部２１の着信部２７にメールの着信があった旨を通知する。着信部２７は、無線部５を介してサーバから着信通知情報１００を受信する（ステップＳ４１）。着信部２７は、受信した着信通知情報１００に基づいて、メールの着信があった電話番号（メールアドレス）を認識する。
【００８５】
一方、ページングチャネル信号に電話番号Ａが含まれていなければ（ステップＳ１１５のＮＯ）、さらに、ページングチャネル信号に電話番号Ｂが含まれているかを判別し、電話番号Ｂが含まれていれば（ステップＳ１１７のＹＥＳ）、主制御部２１の着信部２７にメールの着信があった旨を通知する。
【００８６】
着信部２７は、無線部５を介してサーバから着信通知情報１００を受信する（ステップＳ１１９）。着信部２７は、受信した着信通知情報１００に基づいて、メールの着信があった電話番号（メールアドレス）を認識する。さらに、ページングチャネル信号に電話番号Ｂが含まれていなければ（ステップＳ１１７のＮＯ）、主制御部２１は受信回路１３をオフして（ステップＳ１２１）、ステップＳ１１１に戻り、次の受信タイミングまで待機する（ステップＳ１１１のＮＯ）。
【００８７】
このようにして、電話番号Ａを基準としたタイミングで基地局からの呼び出しの有無をチェックし、呼び出しのあった電話番号の着信処理を行うことができる。本実施形態において、図１０に示すように電話番号Ａを基準としたタイミングでページングチャネル信号の有無を確認する時間以外の時間は、携帯電話機１はスリープ状態となる。これにより、二つの電話番号について待ち受けを行いながらも、一つの電話番号のときとほぼ等しいスリープ時間を確保することができる。これにより待ち受け時の消費電流を抑えることができる。
【００８８】
ステップＳ１１９で、電話番号Ａおよび電話番号Ｂのいずれかにおいてメールの着信通知が認識された場合、着信部２７は、スピーカ６７等の報知機能を使って、ユーザにメールの着信があったことを報知する（ステップＳ１２３）。また、着信部２７は着信した電話番号（メールアドレス）がＡ、またはＢである旨のメッセージをＬＣＤ６１に表示して、ユーザに通知することができる。あるいは、図示されないＬＥＤ表示器の所定の点灯色や点滅パターンによって、メールの着信およびいずれの電話番号（メールアドレス）への着信かを報知および通知することもできる。ステップＳ１２３における着信通知処理は、図４の電話番号情報９０に記憶されているメール着信時の動作設定情報に従って行われる。このように電話番号毎に異なる着信時の動作設定が可能である。
【００８９】
その後、ユーザが着信通知を受けたメールについて、受信を指示したとき、キー入力部６９が指示を受け付け（ステップＳ１２５）、主制御部２１は基地局へメール取得要求の信号を無線部５を介して送る。このメール取得要求信号には、上述の着信通知情報１００に含まれる情報が含まれる。主制御部２１のパケット通信制御部２９が基地局から送信されたメールを無線部５の受信回路１３を介して取得する（ステップＳ１２７）。パケットデータは、アンテナ１１を介して受信回路１３が受信し、信号レベルの増幅、任意の周波数への変換、およびデジタル復調された後、ベースバンド部７に入力される。
【００９０】
取得したメールは電話番号と対応付けてメモリ部４１に格納される。受信したメールは電話番号（メールアドレス）毎にフォルダを分けてメモリ部４１に保存することもできるし、一つのフォルダに一括して保存することもできる。また、電話番号（メールアドレス）毎にＳＩＭカードの内部に保存することも可能である。メールの取得が完了すると、パケット通信制御部２９は取得が完了した旨を通知する信号を、無線部５を介して基地局へ送る（ステップＳ１２９）。メールサーバでは、完了の通知を受け付けたメールを削除する。メモリ部４１に格納されたメールは、必要に応じて、ユーザの操作により、主制御部２１を経由しＬＣＤ制御部３３へ送られ、ＬＣＤ６１に文字情報として表示することができる。
【００９１】
以上説明したように、本実施形態の携帯電話機１によれば、複数の電話番号のうち特定の電話番号を基準としたタイミングを設定して、このタイミングにて各電話番号に対するページングを同時に行うことで、複数の電話番号の待ち受けを可能とするだけでなく、携帯電話機１の待ち受け時のスリープ時間を確保でき、消費電流を抑えることができる。
【００９２】
以上、図面を参照して本発明の実施形態について述べたが、これらは本発明の例示であり、上記以外の様々な構成を採用することもできる。
【００９３】
たとえば、上記実施形態では、一枚のＳＩＭカード５３には一つの電話番号が登録されている構成について説明したが、これに限定されない。一枚のＳＩＭカード５３に複数の電話番号を登録しても本発明を実現することができる。この場合、一枚のＳＩＭカード５３には、複数の電話番号の端末情報８０が識別可能に記録され、携帯電話機１において、ＳＩＭカード５３から複数の電話番号の端末情報８０を識別してそれぞれ読み出すことができる。
【００９４】
また、上記実施形態では、二枚のＳＩＭカード５３を携帯電話機１に装着する構成について説明したが、本発明はこれに限るものではなく、複数のＳＩＭカードを装着して、上記と同様の処理を行うことも可能である。
【００９５】
また、上記実施形態では、一つの電話番号に対して一つのメールアドレスを登録する場合について説明したが、サーバ側で一つの電話番号に対して複数のメールアドレスを登録することにより、一つの電話番号に対して複数のメールアドレスのメールを送受信可能とすることができる。サーバ側では、登録された複数のメールアドレス宛にメールが届いたとき、対応する電話番号の端末に着信通知を行う。なお、他事業者やインターネット経由でのメール送信に関しては、複数のメールアドレスの中から一つのメインメールアドレスを予めサーバに登録しておき、対応する電話番号の端末から電子メールが送信されたとき、登録されているメインメールアドレスを送信元として電子メールを送信する。
【図面の簡単な説明】
【００９６】
【図１】本発明の実施の形態に係る携帯電話機を示す機能ブロック図である。
【図２】図１の携帯電話機に装着されるＳＩＭカードに記憶される端末情報の構造の一例を示す図である。
【図３】図１の携帯電話機において、メールサーバから受信する着信通知情報の構造の一例を示す図である。
【図４】図１の携帯電話機のメモリ部に記憶される電話番号情報の構造の一例を示す図である。
【図５】図１の携帯電話機の位置登録時の動作の一例を示すフローチャートである。
【図６】図１の携帯電話機のページング処理時の動作の一例を示すフローチャートである。
【図７】図１の携帯電話機におけるページングチャネル信号の受信タイミングを説明するためのタイミングチャートである。
【図８】図１の携帯電話機のメール送信時の動作の一例を示すフローチャートである。
【図９】本発明の実施の形態の携帯電話機のページング処理時の動作の一例を示すフローチャートである。
【図１０】図９の携帯電話機におけるページングチャネル信号の受信タイミングを説明するためのタイミングチャートである。
【符号の説明】
【００９７】
１  携帯電話機
３  電源部
５  無線部
７  ベースバンド部
９  入出力部
１１  アンテナ
１３  受信回路
１５  送信回路
２１  主制御部
２３  位置登録部
２５  ページング部
２７  着信部
２９  パケット通信制御部
３１  多重分離部
３３  ＬＣＤ制御部
３５  マルチメディア処理部
３７  音声データ復号部
３９  Ｄ／Ａ変換器
４１  メモリ部
４３  カードインタフェース部
５１ａ  カードスロット
５１ｂ  カードスロット
５３ａ  ＳＩＭカード
５３ｂ  ＳＩＭカード
６１  ＬＣＤ
６３  カメラ
６５  マイク
６７  スピーカ
６９  キー入力部
８０  端末情報
９０  電話番号情報
１００  着信通知情報
【図１】
2007110607.tif 000003
【図２】
2007110607.tif 000004
【図３】
2007110607.tif 000005
【図４】
2007110607.tif 000006
【図５】
2007110607.tif 000007
【図６】
2007110607.tif 000008
【図７】
2007110607.tif 000009
【図８】
2007110607.tif 000010
【図９】
2007110607.tif 000011
【図１０】
2007110607.tif 000012